【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
ａ）使用者の口腔内に位置決めされるように構成された第１の本体および第２の本体であって、使用時に使用者のそれぞれの歯列を受けるように構成された凹部をそれぞれ含む、第１の本体および第２の本体と、
ｂ）前記第１の本体と前記第２の本体を相互接続することによって、前記第１の本体と前記第２の本体の相対位置を長手方向に調節することによって下顎歯を上顎歯に対して選択的に前進させるように構成された調節可能取付け具とを含む、呼吸補助を行う装置であって、前記第１の本体と前記第２の本体の少なくとも一方が、
ｉ）使用者の唇の間に気流を通す少なくとも１つの第１の開口と、
ｉｉ）前記口腔内に設けられて、前記口腔の後部領域に気流が出入りすることを可能にする少なくとも１つの第２の開口と、
ｉｉｉ）前記少なくとも１つの第１の開口と前記少なくとも１つの第２の開口を接続する少なくとも１つのチャネルと
を含むことを特徴とする、呼吸補助を行う装置。
【請求項２】
前記調節可能取付け具が、
ａ）前記第１の本体に回転可能に取り付けられ、長手方向に延びるねじ付きシャフトと、
ｂ）前記ねじ付きシャフトの回転に応じて長手方向に移動することができるように前記ねじ付きシャフトに取り付けられたねじ付きキャリッジと、
ｃ）前記ねじ付きキャリッジに結合されたペグと、
ｄ）前記第２の本体に設けられ、前記ペグが係合するように構成されるスロットと
を含む、請求項１に記載の装置。
【請求項３】
前記ねじ付きシャフトが、少なくとも部分的には前記第１の開口内に設けられ、前記ねじ付きシャフトが、第１の端部に、前記第１の本体のソケット内に回転可能に取り付けられるプラグを含み、第２の端部に、前記ねじ付きシャフトの回転を可能にするように構成されたヘッドを含む、請求項２に記載の装置。
【請求項４】
ａ）前記ソケットが、
ｉ）前記ソケットを内蔵するソケット本体と、
ｉｉ）前記ソケット本体の１つの縁部の少なくとも一部の周りに延びるフランジと
を含むソケット構成要素によって画定され、前記ソケット構成要素が、前記第１の本体内の凹状開口内に取り付けられて、前記フランジが、フランジ表面が前記第１の本体の下面と実質的に面一になるようにして前記凹部に係合するようになっていること、
ｂ）前記第１の本体が、前記第２の端部の近傍で前記ねじ付きシャフトの周りに少なくとも部分的に延びるカラーを含み、前記ヘッドが、前記カラー内に凹んでいること、
ｃ）前記第１の本体がキャリッジ・スロットを含み、前記キャリッジが、前記キャリッジ・スロット内に少なくとも部分的に収容されて、前記第１の本体に対する前記キャリッジの位置を決定できること、
ｄ）前記第１の本体が視覚的標識を含み、前記第１の本体と前記第２の本体の長手方向の相対位置を決定できること、
のうちの少なくとも１つである、請求項３に記載の装置。
【請求項５】
前記調節可能取付け具が、
ａ）前記第１の本体に結合された第１の取付け部材と、
ｂ）前記第２の本体に結合され、前記第１の取付け部材に摺動可能に取り付けられる第２の取付け部材と、
ｃ）前記取付け部材のうちの１つに回転可能に取り付けられたホイールであって、他方の取付け部材と係合することによって、前記ホイールが回転したときに前記取付け部材の相対移動が生じるように構成され、
ｉ）前記第１の取付け部材と前記第２の取付け部材の相対位置を示す視覚的指示と、
ｉｉ）前記第１の本体と前記第２の本体の相対位置を制御するアクチュエータと
を提供するホイールと
を含む、請求項１に記載の装置。
【請求項６】
前記調節可能取付け具が、
ａ）使用時に前記第１の本体から前記第２の本体に向かって延びる翼部と、
ｂ）長手方向に移動できるように前記第２の本体に調節可能に取り付けられるブロックとを含み、使用時に、前記翼部が前記ブロックと係合して、前記第１の本体と前記第２の本体の相対的な長手方向移動を制限することによって、下顎歯を上顎歯に対して選択的に前進させ、且つ
前記翼部の前面および前記ブロックの後面が傾斜しており、それにより、前記第１の本体と前記第２の本体が係合したときに前記第２の本体を長手方向前方に付勢する、請求項１に記載の装置。
【請求項７】
前記調節可能取付け具が、前記第１の本体および前記第２の本体に枢動可能に取り付けられて前記第１の本体および前記第２の本体を既定の相対的な長手方向位置に保持するアームを含み、前記調節可能取付け具が、
ａ）前記アームの長さを調節すること、および
ｂ）枢動点を調節すること
のうちの少なくとも一方によって調節される、請求項１に記載の装置。
【請求項８】
各チャネルが、
ａ）使用者の頬側口腔の中に延びる第１のチャネル部分と、
ｂ）前記第１のチャネル部分と流体連通して、使用者の上顎歯と下顎歯の間に延びる第２のチャネル部分と
を含み、
ｃ）前記第１のチャネル部分および前記第２のチャネル部分のうちの少なくとも一方の断面形状および断面積のうちの少なくとも一方が、前記第１の開口から前記第２の開口までに変化すること、
ｄ）前記チャネルの形状およびサイズが、使用者の前記口腔の解剖学的構造に応じて変化すること、
ｅ）各チャネルが使用者の鉤状切痕を通して空気を送ること、
ｆ）前記第２の開口が、
ｉ）１０°から５０°の間、
ｉｉ）２０°から４０°の間、および
ｉｉｉ）約３０°
のうちの少なくとも１つで内向きに角度が付けられていること
のうちの少なくとも１つである、請求項１から７のいずれか一項に記載の装置。
【請求項９】
各本体が、
ａ）ｉ）ナイロン、
ｉｉ）金属、
ｉｉｉ）チタン合金、
ｉｖ）高強度ポリマー、および
ｖ）コバルトクロム合金
のうちの少なくとも１つで構成される、
ｂ）ｉ）付加製造、
ｉｉ）選択的レーザ焼結、および
ｉｉｉ）成形
のうちの少なくとも１つを用いて作製される、
ｃ）ｉ）医療グレード・ポリマー、
ｉｉ）医療グレード・エラストマ、
ｉｉｉ）シリコーン、
ｉｖ）ポリウレタン、
ｖ）エポキシ、および
ｖｉ）パリレン
のうちの少なくとも１つで被覆される
うちの少なくとも１つである、請求項１から８のいずれか一項に記載の装置。
【請求項１０】
前記装置が、使用者の顎および歯の形状に基づいて、複数の固定サイズの第１の本体のうちの１つ、および複数の固定サイズの第２の本体のうちの１つを選択することによって作製される、請求項１から９のいずれか一項に記載の装置。
【請求項１１】
前記装置が、前記第１の本体および前記第２の本体のうちの一方の凹部内に位置決めされた少なくとも１つのインサートを含み、前記インサートが、少なくとも部分的には、使用時に使用者の歯と対応する本体との間に位置決めされ、且つ前記インサートが、
ａ）使用者の歯に合わせてカスタマイズされること、
ｂ）取外し可能および交換可能のうちの少なくとも一方であること、
ｃ）ｉ）成形インサート、
ｉｉ）シリコーン成形インサート、および
ｉｉｉ）少なくとも部分的に現場で作製されるインサート
のうちの少なくとも１つである一時的なインサートであること、
ｄ）ｉ）成形インサート、
ｉｉ）アクリル製インサート、および
ｉｉｉ）少なくとも部分的に付加製造を用いて作製されるインサート
のうちの少なくとも１つである半永久的なインサートであること、
ｅ）ｉ）金属、
ｉｉ）セラミック、
ｉｉｉ）ポリマー、
ｉｖ）ポリビニルシロキサン、
ｖ）ポリウレタン、および
ｖｉ）エチルビニルアセテート
のうちの少なくとも１つで作製されること
のうちの少なくとも１つである、請求項１から１０のいずれか一項に記載の装置。
【請求項１２】
前記装置が、前記第１の本体および前記第２の本体のうちの一方の凹部内に位置決めされた少なくとも１つのインサートを含み、前記インサートが、少なくとも部分的には、使用時に使用者の歯と対応する本体との間に位置決めされ、
ａ）各インサートが、複数の支柱によってそのインサートに取り付けられた基部を含み、使用時に、前記基部は前記本体の下面上に位置決めされ、前記支柱が前記本体の孔を通って延びることによって、確実に前記インサートを前記本体に固定すること、
ｂ）各凹部が、凹部基部から延びる離間した凹部側壁を含み、各インサートが、それぞれの凹部の前記凹部側壁および前記凹部基部に少なくとも部分的に一致するように成形されたインサート本体を含むこと、
ｃ）少なくとも１つの凹部側壁が、その側壁の少なくとも一部から内向きに突出する凹部リップを含み、前記凹部リップが、前記インサート本体の少なくとも一部と係合することによって、少なくとも部分的に前記インサート本体を前記凹部内に保持するように構成されること
のうちの少なくとも１つである、請求項１から１１のいずれか一項に記載の装置。
【請求項１３】
前記第１の本体が、基部と、前記基部に結合されたカバーとを含み、前記基部と前記カバーが、
ａ）使用者の唇の間に気流を通す少なくとも１つの第１の開口、
ｂ）前記口腔内に設けられて、前記口腔の後部領域に気流が出入りすることを可能にする少なくとも１つの第２の開口、および
ｃ）前記少なくとも１つの第１の開口と前記少なくとも１つの第２の開口を接続する少なくとも１つのチャネル
を画定する、請求項１から１２のいずれか一項に記載の装置。
【請求項１４】
ａ）基部、および前記基部に結合されたカバーを含む第１の本体であり、前記基部と前記カバーが、
ｉ）使用者の唇の間に気流を通す少なくとも１つの第１の開口、
ｉｉ）前記口腔内に設けられて、前記口腔の後部領域に気流が出入りすることを可能にする少なくとも１つの第２の開口、および
ｉｉｉ）前記少なくとも１つの第１の開口と前記少なくとも１つの第２の開口を接続する少なくとも１つのチャネル
を画定する、第１の本体と、
ｂ）使用者の口腔内に位置決めされるように構成された第２の本体と、
ｃ）前記第１の本体および前記第２の本体のうち対応する一方にそれぞれ結合され、使用時に使用者の歯と対応する前記本体との間に少なくとも部分的にそれぞれ位置決めされ、使用者の歯に適合するように成形される、第１のインサートおよび第２のインサートと
を含む、呼吸補助を行う装置。
【請求項１５】
ａ）各本体が、
ｉ）熱硬化性ポリマー、
ｉｉ）熱可塑性ポリマー、
ｉｉｉ）シリコーン、
ｉｖ）エラストマ、
ｖ）ポリカーボネート、
ｖｉ）アクリロニトリルブタジエンスチレン、
ｖｉｉ）ポリビニルシロキサン、
ｖｉｉｉ）ポリウレタン、および
ｉｘ）エチルビニルアセテート
のうちの少なくとも１つである射出成形ポリマーで作製されること、および
ｂ）各インサートが、
ｉ）射出成形ポリマー、
ｉｉ）付加印刷材料、および
ｉｉｉ）使用者の歯の形状に硬化した変形可能材料
のうちの少なくとも１つで作製されること
のうちの少なくとも１つである、請求項１４に記載の装置。